【事件の表示】
　平成１０年特許願第　９４５９２号「認証装置、ユーザ認証方法、ユーザ認証用カード及び記憶媒体」拒絶査定不服審判事件〔平成１１年　６月　２日出願公開、特開平１１−１４９４５４〕について、次のとおり審決する。
【結　論】
　本件審判の請求は、成り立たない。
【理　由】
１．手続の経緯
　本願は、平成１０年４月７日（優先権主張平成９年９月１０日）の出願であって、平成１５年５月２２日付けで拒絶査定がなされ、これに対し、同年６月２６日に拒絶査定に対する審判請求がなされるとともに、同年７月２８日付けで手続補正がなされたものである。
　
２．平成１５年７月２８日付けの手続補正についての補正却下の決定
［補正却下の決定の結論］
　平成１５年７月２８日付けの手続補正を却下する。
　
［理由］
（１）補正後の請求項１に係る発明
　本件手続補正により、特許請求の範囲の請求項１は、
「座標を検出する座標検出器と、
　該座標検出器上の指定領域内に位置し、各々が１つの座標に対応する複数の不連続な穴又は孔、切り欠き或いはマークを有する部材と、
　該部材の該複数の不連続な穴又は孔、切り欠き或いはマークにより指定され該座標検出器により検出された複数の不連続な座標と、予め登録されている複数の座標とを比較する手段と、
　前記比較した結果をもとに認証を行う手段とを備えた、認証装置。」
から、
「表示手段に設けられており、座標を検出する座標検出器と、
　該座標検出器上の指定領域内に位置し、各々が１つのみの座標に対応する複数の不連続な穴又は孔、切り欠き或いはマークを有する部材と、
　該部材の該複数の不連続な穴又は孔、切り欠き或いはマークにより順に該表示手段の表示内容にかかわらず指定され該座標検出器により検出された複数の不連続な座標と、予め登録されている複数の座標とを比較する手段と、
　前記比較した結果をもとに認証を行う手段とを備えた、認証装置。」
に補正された。
　上記補正は、請求項１に記載した発明を特定するために必要な事項である「座標検出器」が「表示手段に設けられて」いること、及び「部材の複数の不連続な穴又は孔、切り欠き或いはマークにより指定され座標検出器により検出された複数の不連続な座標と、予め登録されている複数の座標とを比較する手段」における「複数の不連続な座標」が、切り欠き或いはマークにより「順に表示手段の表示内容にかかわらず」指定されるものであることを限定するものであって、特許法第１７条の２第４項第２号の特許請求の範囲の減縮を目的とするものに該当する。
　そこで、本件手続補正後の上記請求項１に係る発明（以下、「本願補正発明」という。）が特許出願の際独立して特許を受けることができるものであるか（特許法第１７条の２第５項において準用する同法第１２６条第４項の規定に適合するか）について、以下に検討する。
　　
（２）引用例
　原査定の拒絶の理由に引用された特開平６−２３０８４６号公報（以下、「引用例１」という。）、実願昭５８−１５９８２９号（実開昭６０−７１９５２号）のマイクロフィルム（以下、「引用例２」という。）、及び特開平７−８４６６１号公報（以下、「引用例３」という。）には、それぞれ、図面とともに次の事項が記載されている。
　
（引用例１）
Ａ．「【産業上の利用分野】本発明は、予め定める図形上の座標点をパスワードとして、データ保護機能の設定・解除などの処理を行う処理装置に関する。」（第２頁左欄第１７〜１９行）
　
Ｂ．「【課題を解決するための手段】本発明は、表示手段と、複数の座標点が設定され、指示手段によって指示される座標点を出力する座標入力手段と、画像データが予め記憶されている画像データ記憶手段と、前記複数の座標点のうちの予め定める座標点が予め定める順序で記憶されている座標記憶手段と、前記表示手段に前記画像データ記憶手段の画像データに基づく画像を表示し、前記座標記憶手段の記憶内容と座標入力手段から入力される座標点とを照合する照合手段と、前記照合手段の照合結果に応じて、予め定める処理を行う処理手段とを含むことを特徴とする処理装置である。」（第３頁左欄第４〜１４行）
　
Ｃ．「【実施例】図１は、本発明の一実施例の処理装置１の全体の構成を示すブロック図である。ＣＰＵ（中央処理装置）２は、本装置全体を制御する中央処理部である。ＲＡＭ（ランダムアクセスメモリ）３は、ＣＰＵ２の作業バッファを提供するとともに、後述する感圧式タブレット６からの入力画像の座標データなどを記憶するメモリである。ＲＯＭ（リードオンリメモリ）４はＣＰＵ２の処理プログラムなどを格納するメモリである。液晶表示装置５は、後述の画像入力装置から入力される画像や、ＲＡＭ３からの画像データあるいは表示データに基づいて画像や文字などを表示する。
【００１６】感圧式タブレット６は、入力面に指示手段であるスタイラスペン１４などの筆記具で画像を書込むと、書込まれた画像を入力面内に設定された座標点の集合としてとらえ、それらの座標点の座標値を電気信号として出力する画像入力装置である。Ａ／Ｄ（アナログ／デジタル）変換器７は、前記感圧式タブレット６からの出力信号をデジタル信号に変換し、これを座標データとして出力する。データバス８は、ＣＰＵ２と、メモリ３，４あるいはＣＰＵ２と入出力部６，７間においてデータを伝送する接続回路である。
【００１７】図２は、処理装置１の感圧式タブレット６の入力方法を説明するための図である。図２に示すように感圧式タブレット６は、透光性を有し、液晶表示装置５上に積層される。前記感圧式タブレット６からＡ／Ｄ変換器７を介して入力された前記筆記具の軌跡（入力画像）は、入力面上の座標点として検出され、ＣＰＵ２に送られ画像データとしてＲＡＭ３に記憶される。また、ＣＰＵ２は感圧式タブレット６から入力される座標データに基づき、透光性を有する感圧式タブレット６の下層に積層される液晶表示装置５を駆動し、感圧式タブレット６上の座標点に対応する液晶表示装置５の表示画素に表示を行う。これによって、感圧式タブレット６から入力されたものと同一の画像を同一の位置に表示する。
【００１８】図３は、感圧式タブレット６の構成を説明するための分解斜視図である。図３に示すように感圧式タブレット６は、透光性材料から成る上下２枚のパネル１０，１１が重合わされて構成され、少なくとも入力面となる上パネル１０は、可撓性を有する。各パネル１０，１１はともに、対向する２辺上に帯状の電極１２ａ，１２ｂ；１３ａ，１３ｂを有し、電極１２ａ，１２ｂ間および電極１３ａ，１３ｂ間にはそれぞれ均一な透明抵抗膜が対向して形成される。このような上下２枚のパネル１０，１１は、たとえば、上方パネル１０の電極１２ａ，１２ｂがＸ軸方向に、下方パネル１１の電極１３ａ，１３ｂがＹ軸方向となるように重合わされている。
【００１９】ペン１４で押圧された位置の座標を読取るには、まず、上方のパネル１０の電極１２ａと電極１２ｂとの間に電圧を印加する。電極１２ａと電極１２ｂとの間には均一な抵抗膜が形成されているので、ペン１４で押圧された位置の電圧値は、抵抗分割比に基づく電圧値となる。この電圧値は、下方のパネル１１の電極１３ａ，１３ｂに与えられる。この電圧値を、Ａ／Ｄ変換器７を用いてＸ座標値として読取る。次に下方パネル１１の電極１３ａ，１３ｂに電圧を印加し、Ｘ座標値の場合と同様にして上方パネル１０の電極１２ａ，１２ｂで検出されたとえば電圧をＡ／Ｄ変換器７を用いてＹ座標値として検出する。
【００２０】図４は、処理装置１の外観を示す平面図である。処理装置１の表面には、図３に示すような液晶表示装置５に積層される感圧式タブレット６、電源をＯＮ，ＯＦＦする電源スイッチ１５およびカーソルを移動させるカーソル移動キー１６などが配置される。処理装置１は、ＲＯＭ４に記憶されている予め定められた画像、またはユーザが入力しＲＡＭ３に記憶されている画像を液晶表示装置５に表示し、感圧式タブレット６からペン１４で指示することによって入力される前記画像上の点である座標点の座標と、前記座標点が入力される順序とをパスワードとしてデータ保護を行う。」（第３頁左欄第３５行〜第４頁左欄第４行）
　
　上記Ａ〜Ｃの記載及び関連する図面を参照すると、引用例１には、次の発明が記載されているものと認められる。（以下、「引用例１記載の発明」という。）
「液晶表示装置５に積層されており、座標を検出する感圧式タブレット６と、
　該感圧式タブレット６により検出された複数の不連続な座標と、予め記憶されている複数の座標とを照合する手段と、
　前記照合した結果をもとに予め定める処理を行う処理手段とを備えた、処理装置。」
　
（引用例２）
Ｄ．「本考案はパーソナル・コンピュータ等で使用されるＣＲＴディスプレーに付設されているライトペンの操作における信頼性向上に役立つライトペン位置決用スクリーンに関する。」（明細書第１頁第１３〜１６行）
　
Ｅ．「第２図は本考案による位置決用スクリーンの実施例を説明するためのＣＲＴディスプレー斜視図である。スクリーン７は光を透過する薄い板で構成されている。ＣＲＴディスプレー画面上のマークに対応した位置にライトペン４の受光部５を挿入可能な寸法の貫通孔８を設けてある。スクリーン７の四角には粘着テープ９が貼付してある。ＣＲＴディスプレーの画面上にはこの粘着テープ９によってスクリーン７が取付けられる。その際、各貫通孔８はそれぞれ対応のマーク２に対面させられるように位置合せがなされる。
作業者がライトペン４によってデータを入力する場合、スクリーン７を通して識別記号を確認し、貫通孔８を案内にしてマーク２を正確に押下できる。
　以上、説明したように本考案によればライトペンの受光部を貫通孔によってガイドできるのでライトペンによるデータの入力が正確かつ迅速に行える効果がある。」（明細書第３頁第１５行〜第４頁第１４行）
　
　上記Ｄ，Ｅの記載及び第２図を参照すると、引用例２には、次の発明が記載されているものと認められる。（以下、「引用例２記載の発明」という。）
「ＣＲＴディスプレーの画面上に位置し、各々がＣＲＴディスプレーの画面上のマーク２に対応する複数の不連続な貫通孔８を有する位置決用スクリーンを用いて、ライトペンによるデータの入力を行うこと。」
　
（引用例３）
Ｆ．「【産業上の利用分野】この発明は、特に、一体型表示入力装置を備えた情報処理装置に用いて好適な電子ロックを用いた情報処理装置に関する。」（第２頁左欄第１９〜２１行）
　
Ｇ．「【課題を解決するための手段】本発明の電子ロックを用いた情報処理装置は、座標入力装置と、この座標入力装置を介して一定の図形形状が入力されるテンプレートと、このテンプレートによって入力される一定の図形形状が記憶される図形形状記憶手段と、座標入力装置を介して入力された図形の形状が、先に図形形状記憶手段に記憶された図形形状と一致するか否かを検証する照合手段とを具備し、上記照合手段が、記憶された図形形状と入力された図形形状とが一致したと判断したときのみ、ロックを解除し、保護情報へのアクセスを許可することを特徴とする。この際、図形形状を入力するテンプレートとしては、例えば板状の物質に図形形状が固定記録される溝で構成され、これを座標入力装置を介してなぞることにより図形形状を入力することを特徴とする。」（第２頁右欄第４１行〜第３頁左欄第４行）
　
Ｈ．「【作用】本発明は、例えば、一体型表示入力装置を具備する情報処理装置に於いて、情報処理装置内に記憶され、保護された情報へのアクセスを許可するための“鍵”として、プラスチックのカードにある形状の溝が設けられたものを用意し、情報処理装置の座標入力装置の上に上記カード状の“鍵”を置き、使用者がその“鍵”の溝をペンでなぞることで、その溝の形状を暗証情報として情報処理装置に入力し、その暗証情報を記憶する。
【００１１】そして、保護された情報へアクセスするときは、再び、座標入力装置の上の上記カード状の“鍵”を置き、使用者がその“鍵”の溝をペンでなぞることで、その溝の形状を情報処理装置に入力し、あらかじめ記憶された暗証情報の溝の形状と一致するか否かを判定する。
【００１２】“鍵”に記録される暗証情報は、任意の溝による形状であるため、非常に多くのパターンを取り得、パスワード方式に比べて暗証情報を推測される可能性が少なく、また、他人に暗証情報を知られてしまう可能性が無く、従って情報保護が確実となる。更に、暗証情報が“鍵”のカードに設けられた任意の溝の形状なので、自由手書きパターンを照合する署名認識方式に比べて、入力されるパターンの変動が少なく、照合が容易であり、かつコストの上昇を招く特別なハードウェアが不要である。」（第３頁左欄第６〜３０行）
　
Ｉ．「【実施例】以下、図面を使用して本発明の実施例について説明する。図１は本発明の実施例を示すブロック図である。図に於いて、符号１は静電結合を入力方式とする座標入力装置（透明タブレット）であり、ペン３により指示される座標を検出するための座標検出装置である。符号２はＬＣＤであり、透明タブレット１が上に重ねられ一体型入力表示装置を構成している。
【００１４】符号３はペンであり、使用者はこのペン３を介してタブレット１上の座標データを指定する。このペン先にスイッチを有する。符号４は座標入力制御装置であり、タブレット１とペン３とを制御して、タブレット１上のペン３の座標データとペン先スイッチの状態情報を得る。
【００１５】符号５は表示制御装置であり、ＶＲＡＭ６の内容をＬＣＤ２に表示する。符号６はＶＲＡＭであり、ＬＣＤ２に表示する表示データをビットマップ形式で保持するディスプレイメモリである。
【００１６】符号７はＲＯＭであり、各種のプログラムやデータを記憶している読み出し専用のメモリである。符号８はＳＲＡＭであり、各種のデータを記憶しており、かつ、そのデータはバッテリによってバックアップされている不揮発性のＲＡＭである。
【００１７】符号９はＣＰＵであり、ＲＯＭ７に格納されているプログラムを逐次実行することで、装置全体を制御する。符号１０は暗証カードであり、ここでは一例としてクレジットカード大（８５ｍｍ×５３ｍｍ程度）で１ｍｍ程度の厚さのプラスチック製のカードで構成されるものとする。
【００１８】符号１１は暗証情報溝であり、ここでは一例として、暗証カード１１内に幅３ｍｍ程度の１本の溝（スリット）が設けられ、何カ所かで左右の任意方向に９０度折れ曲がっている。この折れ線状の溝のそれぞれの直線部分の長さと折れ曲がる方向はランダムであり、暗証カード毎に異なっている。」（第３頁左欄第３２行〜右欄第１５行）
　
　上記Ｆ〜Ｉの記載及び関連する図面を参照すると、引用例３には、次の発明が記載されているものと認められる。（以下、「引用例３記載の発明」という。）
「ＬＣＤ２に設けられており、座標を検出する透明タブレット１と、
　該透明タブレット１上の任意の領域内に位置し、１本の溝（スリット）１１を有する暗証カード１０と、
　該暗証カード１０の該１本の溝（スリット）１１により該ＬＣＤ２の表示内容にかかわらず指定され該透明タブレット１により検出された溝の形状と、予め記憶されている溝の形状とを照合する手段と、
　前記照合した結果をもとに保護情報へのアクセスを許可する手段とを備えた情報処理装置。」
　
（３）対比
　本願補正発明と引用例１記載の発明とを対比すると、まず、引用例１記載の発明における「液晶表示装置５」、「感圧式タブレット６」は、それぞれ、本願補正発明における「表示手段」、「座標検出器」に相当する。
　そして、引用例１記載の発明において感圧式タブレット６が液晶表示装置５に「積層されて」いることは、本願補正発明において座標検出器が表示手段に「設けられて」いることに相当する。
　また、引用例１記載の発明における「記憶」、「照合」は、それぞれ、本願補正発明における「登録」、「比較」に相当するから、本願補正発明と引用例１記載の発明とは、ともに、「座標検出器により検出された複数の不連続な座標と、予め登録されている複数の座標とを比較する手段」を備えているということができる。
　さらに、引用例１記載の発明は、「照合した結果をもとに予め定める処理を行う処理手段を備えた処理装置」なのであるから、該処理装置は、実質的に「比較した結果をもとに認証を行う手段を備えた認証装置」を含む装置であるということができる。
　
　よって、本願補正発明と引用例１記載の発明とは、ともに、
「表示手段に設けられており、座標を検出する座標検出器と、
　該座標検出器により検出された複数の不連続な座標と、予め登録されている複数の座標とを比較する手段と、
　前記比較した結果をもとに認証を行う手段とを備えた、認証装置。」
である点で一致し、次の点で相違する。
　
　相違点１：本願補正発明は、「座標検出器上の指定領域内に位置し、各々が１つのみの座標に対応する複数の不連続な穴又は孔、切り欠き或いはマークを有する部材」を備えているのに対し、引用例１記載の発明は、そのような部材を備えていない点。
　
　相違点２：「複数の不連続な座標」が、本願補正発明においては、「部材の複数の不連続な穴又は孔、切り欠き或いはマークにより順に表示手段の表示内容にかかわらず指定され」るものであるのに対し、引用例１記載の発明においては、そのようなものとはなっていない点。
　
（４）判断
　そこで、上記相違点について検討する。
　
（相違点１について）
　引用例２記載の発明によれば、ライトペンによるデータの入力を行う際に、「ＣＲＴディスプレーの画面上に位置し、各々がＣＲＴディスプレーの画面上のマークに対応する複数の不連続な貫通孔を有する位置決用スクリーン」を用いることは公知の技術である。
　引用例１記載の発明においては、引用例１の上記Ｃの記載にあるように、「ペン１４」で直接「感圧式タブレット６」を押圧することによって座標入力を行うようにしているが、座標入力も一種のデータ入力であることには変わりないから、該引用例１記載の発明に対して上記引用例２記載の発明に見られるような複数の不連続な貫通孔を有する位置決用の部材を用いるようにすることは、当業者が容易に想到し得ることと認められる。
　そして、引用例１記載の発明において、座標入力する領域は、引用例１の図４に見られるような画像が表示される領域であるから、画面上の任意の領域を指定領域としてその領域に合わせた位置決用の部材を用いるようにすることは、当業者が適宜になし得ることと認められる。
　なお、ここで、本願補正発明においては、座標に対応する構成として「穴又は孔、切り欠き或いはマーク」という４つの構成が記載されているが、上記記載は、「又は」や「或いは」という表現で構成を例示したものにすぎず、しかも、それらの構成は全て位置決めをするための類似の構成であるから、どの構成も当業者が適宜に採用できる構成にすぎないものと認められる。
　よって、引用例１記載の発明において、「座標検出器上の指定領域内に位置し、各々が１つのみの座標に対応する複数の不連続な穴又は孔、切り欠き或いはマークを有する部材」を備えるようにすることは、当業者が適宜に設計できる事項にすぎないものと認められる。
　
（相違点２について）
　引用例３記載の発明に見られるように、部材（暗証カード１０）を用いて画面上に座標入力を行い、もって認証を行う装置において、座標の位置決めをするための構成を部材側に設け、画面上には位置決めのための表示は行わないようにする技術は、公知の技術である。
　ここで、引用例３記載の発明においては、部材の座標の位置決めをするための構成は、「溝」による連続的な座標を示す構成であるが、該「溝」に対応する連続的な座標を示す図形はＬＣＤ２上に表示されないことには相違なく、使用者は、ＬＣＤ２上の表示とは無関係に部材側の溝に沿って入力を行えば、認証動作を行うことができる。
　そして、相違点１で検討したように、「溝」ではなく「不連続な穴又は孔、切り欠き或いはマーク」を有する部材を用いること自体は、引用例２記載の発明を参酌すれば、当業者が適宜に設計できる事項にすぎない
　よって、引用例１記載の発明に対して引用例２，３記載の発明を適用し、「複数の不連続な座標」を「部材の複数の不連続な穴又は孔、切り欠き或いはマークにより順に表示手段の表示内容にかかわらず指定され」るものとすることは、当業者が適宜に設計できる事項にすぎないものと認められる。
　
　そして、本願補正発明の構成によってもたらされる効果も、引用例１〜３に記載の発明から当業者ならば容易に予測することができる程度のものであって、格別のものとはいえない。
　したがって、本願補正発明は、引用例１〜３に記載の発明に基いて、当業者が容易に発明をすることができたものであるから、特許法第２９条第２項の規定により、特許出願の際独立して特許を受けることができないものである。
　
（５）むすび
　よって、本件手続補正は、特許法第１７条の２第５項で準用する同法第１２６条第４項の規定に違反するものであり、特許法第１５９条第１項で準用する同法第５３条第１項の規定により却下されるべきものである。
　
３．補正却下の決定を踏まえた検討
（１）本願発明
　平成１５年７月２８日付けの手続補正は、上記のとおり却下されたので、本願の請求項１に係る発明は、平成１５年５月６日付け手続補正書の特許請求の範囲の請求項１に記載されたとおりの次のものと認める。（以下、「本願発明」という。）
「座標を検出する座標検出器と、
　該座標検出器上の指定領域内に位置し、各々が１つの座標に対応する複数の不連続な穴又は孔、切り欠き或いはマークを有する部材と、
　該部材の該複数の不連続な穴又は孔、切り欠き或いはマークにより指定され該座標検出器により検出された複数の不連続な座標と、予め登録されている複数の座標とを比較する手段と、
　前記比較した結果をもとに認証を行う手段とを備えた、認証装置。」
　
（２）引用例
　これに対して、原査定の拒絶の理由に引用された引用例１〜３及びその記載事項は、上記２．（２）に記載したとおりである。
　
（３）対比・判断
　本願発明は、上記２．で検討した本願補正発明における「座標検出器」が「表示手段に設けられて」いるとの限定を省き、「部材の複数の不連続な穴又は孔、切り欠き或いはマークにより指定され座標検出器により検出された複数の不連続な座標と、予め登録されている複数の座標とを比較する手段」における「複数の不連続な座標」が、切り欠き或いはマークにより「順に表示手段の表示内容にかかわらず」指定されるものであるとの限定を省くものである。
　そして、本願発明の構成要件を全て含み、さらに特定の限定を施したものに相当する本願補正発明は、上記２．（４）に記載したとおり、引用例１〜３に記載の発明に基いて、当業者が容易に発明をすることができたものである。
　そうすると、「部材の複数の不連続な穴又は孔、切り欠き或いはマークにより指定され座標検出器により検出された複数の不連続な座標と、予め登録されている複数の座標とを比較する手段」における「複数の不連続な座標」が、切り欠き或いはマークにより「順に表示手段の表示内容にかかわらず」指定されるものであるとの限定は施されていない本願発明は、引用例３記載の発明に見られるような、座標の位置決めをするための構成を部材側に設け、画面上には位置決めのための表示は行わないようにする技術を参酌するまでもなく、引用例１，２に記載の発明に基いて、当業者が容易に発明をすることができたものである。
　
（４）むすび
　したがって、本願発明は、引用例１，２に記載の発明に基いて、当業者が容易に発明をすることができたものであるから、特許法第２９条第２項の規定により特許を受けることができない。
　よって、結論のとおり審決する。